(57)【要約】  【課題】  筆記体であるボールペンのインキ収容部は、一般的に、ポリプロピレンなどの樹脂材質で押し出し成型によって形成されている。しかし、ポリプロピレンなどの樹脂材質にあっては、前記球状の止着部が時間の経過に伴い塑性変形してしまう危険性が高い。即ち、塑性変形を起こしてしまうと、圧入・止着力が減少してしまい、ノック操作の過程で筆記体が脱落してしまったり、強いては、ポケットに差し込んだ状態において脱落してしまい、ポケットの内部を汚してしまったりしてしまう危険性がある。  【解決手段】  軸筒に交換が可能な複数のリフィルが挿着され、そのリフィルの後方に接続部材が着脱自在に取り付けられた筆記具であって、前記接続部材の接続部にリフィルに係合する突起を形成し、その突起の位置を接続部の長手方向、並びに、周方向に対して異ならしめた筆記具。【選択図】  図１０
2010030050.tif 000002
【特許請求の範囲】
【請求項１】
軸筒に交換が可能な複数のリフィルが挿着され、そのリフィルの後方に接続部材が着脱自在に取り付けられた筆記具であって、前記接続部材の接続部にリフィルに係合する突起を形成し、その突起の位置を接続部の長手方向、並びに、周方向に対して異ならしめた筆記具。
【請求項２】
前記突起のリフィルの挿着側を鈍角にすると共に、離脱側を鋭角にした請求項１記載の筆記具。
【請求項３】
前記接続部材の接続部とは反対側の端部にスライダーを取り付けると共に、そのスライダーを透明、或いは、着色半透明な材質から構成すると共に、前記接続部材をリフィルに収納されるインキの色と同色とした請求項１、或いは、請求項２に記載の筆記具。
【請求項４】
前記スライダーに接続部材が挿着される孔を形成し、その孔の内面に平面部を形成すると共に、外面部に曲面部を形成した請求項３に記載の筆記具。
【発明の詳細な説明】
【技術分野】
【０００１】
本発明は、軸筒に交換が可能な複数のリフィルが挿着され、そのリフィルの後方に接続部材が配置された筆記具に関するものであり、前記リフィルの一例としては、ボールペンリフィルやシャープペンシルユニットなどが挙げられる。
【背景技術】
【０００２】
１例として、先軸に対して適宜軸推移するように後軸を接合すると共に、軸内に複数本の筆記体を収納して筆記体と連接したノック操作部を後軸後端近傍に至り設けた縦溝に突出させ、ノック操作部を軸先方に摺動させることにより選択的に先軸の先端孔から筆記部を突出可能とし、上記筆記体の内少なくとも一本を芯又は消しゴムの繰り出し体として先軸先端孔から突出させた時に、先軸に対して後軸を軸推移して芯又は消しゴムを繰り出すように構成し、更に前記後軸に軸推移可能にクリップを備えてそれと連動する係止ピンを軸推移することで突出状態にある筆記体のノック操作部の係止状態を解除するようにした複式筆記具がある。
そして、前記ノック操作部に形成されている球状の係止部には、ボールペンやシャープペンなどの筆記体の後部が着脱自在に圧入された状態で止着されている。
【特許文献１】実開平５−１２１８６号公報。
【発明の開示】
【発明が解決しようとする課題】
【０００３】
前記筆記体であるボールペンのインキ収容部は、一般的に、ポリプロピレンなどの樹脂材質で押し出し成型によって形成されている。しかし、ポリプロピレンなどの樹脂材質にあっては、前記球状の止着部が時間の経過に伴い塑性変形してしまう危険性が高い。即ち、塑性変形を起こしてしまうと、圧入・止着力が減少してしまい、ノック操作の過程で筆記体が脱落してしまったり、強いては、ポケットに差し込んだ状態において脱落してしまい、ポケットの内部を汚してしまったりしてしまう危険性がある。
【課題を解決するための手段】
【０００４】
そこで、本発明は、軸筒に交換が可能な複数のリフィルが挿着され、そのリフィルの後方に接続部材が着脱自在に取り付けられた筆記具であって、前記接続部材の接続部にリフィルに係合する突起を形成し、その突起の位置を接続部の長手方向、並びに、周方向に対して異ならしめたことを要旨とする。
【発明の効果】
【０００５】
本発明は、軸筒に交換が可能な複数のリフィルが挿着され、そのリフィルの後方に接続部材が着脱自在に取り付けられた筆記具であって、前記接続部材の接続部にリフィルに係合する突起を形成し、その突起の位置を接続部の長手方向、並びに、周方向に対して異ならしめたので、接続部材とリフィルとの取り付け状態が経時的に良好な筆記具を提供することができる。
【発明を実施するための最良の形態】
【０００６】
作用について説明する。長手方向における後方の突起によって発生したリフィルの変形、或いは、塑性変形が前方に形成された突起とリフィルとの取り付け力を増大させる。
第１例を図１〜図１６に示し説明する。黒色と赤色の２色からなるボールペンリフィルが摺動自在に配置されている多芯筆記具である。ボールペンばかりではなく、シャープペンシルユニットを適宜組み合わせても良い。参照符号１は、軸本体であり、その軸本体１は、前軸２と後軸３とより構成されている。また、本例において、前軸２は、先部材４と中軸５の螺合構造により構成されているが、一体的に形成されていても良い。しかし、後述する筆記体の交換や成形の容易性を考慮すると２部材とし、着脱自在に固定した方が良い。また、前記先部材４の内径部には、先端側へ向かって徐々に径が小さくなる円錐部４ａが形成されている。そして、その先部材４の先端には、筆記体が出没する突出孔４ｂが形成されている。
【０００７】
前記後軸３には、その長手方向に２個のスリット６が形成されている。本例においては、２個のスリット６が形成されているが、筆記体であるボールペンリフィルの数が２本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には断面の形状が外側に円弧部を有する半月形をした脚部８が対向した位置に形成されている。この脚部８は、スリット６が形成されることにより形成される。よって、筆記体の数によって脚部８の数は変わる。その脚部８の外接円径は、後軸３の最大外径よりも小さく形成されている。
符号９は、後軸３に一体的に形成されたクリップ部であるが、別部材で構成し後軸３に固定などしても良い。符号１０は、前記クリップ部９の前方内面に形成された玉部であって、その玉部１０は前記中軸５の表面に当接している。
【０００８】
前記後軸３のスリット６には、透明、或いは、着色された半透明な材質からなるスライダー１１が摺動自在に配置されている。このスライダー１１の長手方向の両側には、摺動突起１２が形成されており、前記スリット６に形成された摺動溝７に摺動可能に係合している。このスライダー１１の背面には、間隔をおいて２つの解除突起１３、１４が形成されており、また、スライダー１１の前方の内側には、長手方向に孔１１ａが形成されている。その孔１１ａの正面方向から見て内面には、平面部１１ｂが形成されており、その平面部１１ｂに対応するスライダー１１の外面には円弧状の曲面部１１ｃが形成されている。これら内面に形成された平面部１１ｂと外面に形成された曲面部１１ｃとによって光の屈折が発生しレンズ効果が得られるようになっている。
そして、スライダー１１の孔１１ａには、後述する筆記体に収納されるインキの色とほぼ同色な色を有した接続部材１５の一端部（後方部１５ａ）が着脱自在に挿着されており、その継ぎ手部材１５の他端部（前方部１５ｂ）には、ポリプロピレンやナイロンなどの樹脂材質からなる円筒状のボールペンリフィル１６が接続されている。
尚、そのボールペンリフィル１６は、インキを収容するポリプロピレンなどの樹脂材質で押し出し成型によって形成されたインキ収容管１６ａと、そのインキ収容管１６ａの前方に圧入されたボールペンチップ１６ｂなどから構成されている。
ここで、前記スライダー１１は、透明、或いは、着色された半透明な材質で形成されているため、その内部に位置する前記接続部材１５の色を容易に識別することができる。これに加え、スライダー１１には平面部１１ｂと曲面部１１ｃが形成されているため、それによって得られるレンズ効果によって、前記接続部材１５の色をさらに容易に識別することができるようになる。
【０００９】
前記接続部材１５の中間部には、大径部１５ｃが形成されており、後方部１５ａの孔１１ａに対する過度な挿入と、前方部１５ａの筆記体１６に対する過度な挿入が防止されている。また、接続部材１５の後方部１５ａには、スライダー１１の孔１１ａに対する挿着・嵌合を良好なものとなすために円周状の嵌合突起１５ｄが形成される一方、前方部１５ｂには筆記体１６に空気が侵入するための平面部１５ｅが形成されている。その平面部１５ｅは、９０度の角度をもって４方に形成されている。即ち、接続部材１５の前方部１５ｂの横断面形状は、正方形状をなしている。また、４つの平面部１５ｅには、筆記体１６との良好な係合・嵌合力を得るために突起１５ｆ、１５ｇが部分的に形成されているが、突起同士が重ならないようになっている。即ち、４つの平面部１５ｅに形成された各々の突起１５ｆは、長手方向、並びに、周方向に対して異なった位置に形成されている、具体的に説明すると、前方の対向した位置に形成された突起１５ｆと離隔して、後方にはその突起１５ｆと９０度の角度をもって突起１５ｇが対向して形成されている。前記インキの消費に伴うボールペンリフィル１６内部への空気の侵入を確実なものとしていると共に、樹脂材質からなる筆記体１６の塑性変形による接続部材１５からの脱落を防止している。つまり、前方に形成された突起１５ｆによってボールペンリフィル１６が楕円状に膨出（膨出部１６ｃ）すると共に、後方に形成された突起１５ｇによって、前記膨出部とは９０度の角度をもって該部分も膨出部１６ｄが形成される。即ち、互いが９０度の方向で膨出する反面、その膨出した方向と９０度回転した方向は縮径させられるため、筆記体１６の内面が突起１５ｆ、１５ｇに食い込むようになり各々の係合部がより強固になるのである（図１５、図１６参照；図中点線１６ｅは、本来の筆記体１６の内面形状である。）。
また、前記突起１５ｆや１５ｇは、その断面形状が矢型状をなしているが、前方に位置する突起１５ｆのボールペンリフィル１６への挿着側は、鈍角（α）に形成されており、一方、離脱側は鋭角（β）に形成されている。ちなみに、本例においては、挿入側を約１５０度に形成し、離脱側を７０度に形成している。
尚、前記スライダー１１の前端部には、弾撥部材１７の外径部を保持する延出部１１ｄが形成されている。延出部１１ｄ間の長さは、弾撥部材１７外径よりも若干短く形成されており、これによって弾撥部材１７は延出部１１ｄに圧入された状態となっている。即ち、ボールペンリフィル１６を交換する際にも弾撥部材１７がスライダー１１の前端部から外れないようになっている。また、前記スライダー１１の接続部材１５（後方部１５ａ）に対する挿着力（嵌合力）は、ボールペンリフィル１６の接続部材１５（前方部１５ｂ）に対する挿着力（嵌合力）よりも弱く設定されている。即ち、筆記体１６をスライダー１１に対して離脱させようとすると、ボールペンリフィル１６と接続部材１５が連結された状態でスライダー１１から離脱する。
参照符号１７は、ボールペンリフィル１６並びにボールペンリフィル１６に接続するスライダー１１を後方に付勢するコイルスプリングなどの弾撥部材である。
【００１０】
前記前軸２の１部材である中軸５の中間部には、規制部１８が形成されており、その規制部１８には、筆記体１６が遊挿する２つの貫通孔１９が形成されており、前記規制部１８に弾撥部材１７の一端を係止させることにより、ボールペンリフィル１６を後方に付勢している。また、中軸５の内側で、規制部１８の後方には、長手方向に２つの溝部２０が形成されており、この溝部２０に前記後軸３の脚部８が摺接され、組み立て時に脚部８が案内されるようになっている。また、その溝部２０は、脚部８の断面形状とほぼ同形をなしている。即ち、外側に円弧部を有する半月形となっている。
【００１１】
第２例を図１７〜図１９に示し説明する。前記第１例のスライダーを接続部材に一体成形した例である。以下、具体的に説明する。スライダーとしての機能を有する接続部材２１の側面には、後方側面には摺動突起１２が形成されており、また、背面には解除突起１３、１４が形成されている。一方、接続部材２１の前方部２１ｂには、筆記体１６に空気が侵入するための平面部２１ｅが形成されている。その平面部２１ｅは、９０度の角度をもって4方に形成されている。即ち、接続部材２１の前方部２１ｂの横断面形状は、正方形状をなしている。また、４つの平面部２１ｅには、筆記体１６との良好な嵌合力を得るために突起２１ｆ、２１ｇが部分的に形成されているが、突起同士が重ならないようになっている。即ち、４つの平面部２１ｅに形成された各々の突起２１ｆは、長手方向、並びに、周方向に対して異なった位置に形成されている、具体的に説明すると、前方の対向した位置に形成された突起２１ｆと離隔して、後方にはその突起２１ｆと９０度の角度をもって突起２１ｇが対向して形成されている。
本例のように、接続部材にスライダー機能を持たせることによって、部品点数を削減でき、また、組み立てによる工数なども削減することができる。
【００１２】
第３例を図２０、図２１に示し説明する。前記第１例の接続部材の変形例である。４つの平面部２２ｅに形成した突起２２ｆと突起２２ｇの間隔を少なくした例である。本例においても、各々の平面部２２ｅに形成された突起２２ｆ、２２ｇは、長手方向の前後に形成されていると共に、周方向においては９０度の角度をもって形成されている。
本例のように、突起２２ｆと突起２２ｇとを近接させることによって、縮径部がより近接するためさらに結合力を強固にすることができる。
【００１３】
第４例を図２２、図２３に示し説明する。前記第１例〜第３例における矢状の突起の変形例であり、その突起の断面形状を半球状としている。また、本例においては、平面部２３ｅが形成されているが、対向した２つの面となっている。そして、その平面部２３ｅの側面には円弧状の曲面部２３ｈとなっている。前記平面部２３ｅの後方には、突起２３が形成されており、曲面部２３ｈにも突起２３ｆが形成されている。しかし、それら平面部２３ｅに形成された突起２３ｇと曲面部２３ｈに形成された突起２３ｆは、長手方向、並びに円周方向においてその位置を異ならしめている。
本例のように、突起２３ｆ、２３ｇの断面形状を半球状にすることによって、応力が分散される為、圧入による筆記体１６（インキ収容管１６ａ）の割れを防止できる。
【００１４】
第５例を図２４、図２５に示し説明する。接続部材２４に形成する突起を、接続部材２４の内面に形成した例である。以下、具体的に説明する。接続部材２４の前方部２４ｂの内面には、孔２４ｉが形成されている。その孔２４ｉの内面の前方と後方には突起２４ｆ、２４ｇが形成されているが、それら突起２４ｆ、２４ｇは長手方向、並びに、周方向における形成位置を異ならしめている。
本例のように、突起２４ｆ、２４ｇを接続部材２４の内面に設けることによって、万が一、ボールペンリフィル１６（インキ収容管１６ａ）の後部よりインキが洩れた場合でも、製品の外部へのインキの流出を極力防止することができる。
【図面の簡単な説明】
【００１５】
【図１】本発明の１例を示す外観正面図。
【図２】図１の側面図。
【図３】図１の縦断面図。
【図４】図２の縦断面図。
【図５】図１の上面図。
【図６】図１のＸ−Ｘ線断面図。
【図７】図１のＹ−Ｙ線断面図。
【図８】図１のＺ−Ｚ線断面図。
【図９】筆記体と接続部材とスライダーとの連結状態を示す外観斜視図。
【図１０】図８における分解要部拡大図。
【図１１】スライダーの正面図。
【図１２】接続部材の外観斜視図。
【図１３】接続部材の正面図。
【図１４】図１３の側面図。
【図１５】図９のＡ−Ａ線断面図。
【図１６】図９のＢ−Ｂ線断面図。
【図１７】第２例を示す外観図。  （ａ）正面図  （ｂ）側面図
【図１８】第２例の外観斜視図。
【図１９】接続部材と筆記体の接続状態を示す外観斜視図。
【図２０】第３例を示す外観図。  （ａ）正面図  （ｂ）側面図
【図２１】第３例の外観斜視図。
【図２２】第４例を示す外観図。  （ａ）正面図  （ｂ）側面図
【図２３】第４例の外観斜視図。
【図２４】第５例を示す外観図。  （ａ）正面図  （ｂ）側面図
【図２５】第５例の外観斜視図。
【符号の説明】
【００１６】
１      軸本体
２      前軸
３      後軸
４      先部材
５      中軸
６      スリット
７      摺動溝
８      脚部
９      クリップ部
１０    玉部
１１    スライダー
１２    摺動突起
１３    解除突起
１４    解除突起
１５    継ぎ手部材
１６    ボールペンリフィル
１７    弾撥部材
１８    規制部
１９    貫通孔
２０    溝部
２１    接続部材
２２    接続部材
２３    接続部材
２４    接続部材
【図１】
2010030050.tif 000003
【図２】
2010030050.tif 000004
【図３】
2010030050.tif 000005
【図４】
2010030050.tif 000006
【図５】
2010030050.tif 000007
【図６】
2010030050.tif 000008
【図７】
2010030050.tif 000009
【図８】
2010030050.tif 000010
【図９】
2010030050.tif 000011
【図１０】
2010030050.tif 000012
【図１１】
2010030050.tif 000013
【図１２】
2010030050.tif 000014
【図１３】
2010030050.tif 000015
【図１４】
2010030050.tif 000016
【図１５】
2010030050.tif 000017
【図１６】
2010030050.tif 000018
【図１７】
2010030050.tif 000019
【図１８】
2010030050.tif 000020
【図１９】
2010030050.tif 000021
【図２０】
2010030050.tif 000022
【図２１】
2010030050.tif 000023
【図２２】
2010030050.tif 000024
【図２３】
2010030050.tif 000025
【図２４】
2010030050.tif 000026
【図２５】
2010030050.tif 000027